(57)【要約】【課題】  繰り返し径の大きさを調節してもシリコンゴムが剥がれて使用不能となることが無い、リング径調節機構を備えた装身具を提供すること。【解決手段】  ベルト３０のリング径を狭くする場合、この端部３０aをつまんで矢印Ａ方向に引っ張る。ベルト３０の上面はチューブ状のシリコンゴム１８a,１８bと接触しているため、これを矢印Ａ方向に引っ張ると反時計方向に回転するのでこれらシリコンゴム１８a,１８bに無理な力が加わることが無い。同様に、ベルト３０のリング径を拡げる場合でも、例えばベルト３０の左側上部３０bを矢印Ｂ方向に引っ張れば、チューブ状のシリコンゴム１８a,１８bが時計方向に回転してベルと３０が動くので無理な力が加わることはない。【選択図】      図４
0003111946.tif 000002
【実用新案登録請求の範囲】
【請求項１】
宝飾品が取り付けられる宝石取付台に固着されている第１の台座と、
端部が内外で重ねられてほぼ巻回状に丸められてリング形状になっている帯状の幅のベルトと、
前記帯状の幅のベルトを挟んだ状態でこのリング径を調節可能に前記第１の台座に取り付けられる第２の台座とを有し、
前記第１の台座と第２の台座には前記帯状の幅のベルトと当接するチューブ状のゴムが取り付けられ、前記ベルトのリング径を調節したときにこのチューブ状のゴムが回転することを特徴とするリング径調節機構を備えた装身具。
【請求項２】
請求項１に記載のチューブ状のゴムにおいて、このゴムはシリコンゴムであることを特徴とするリング径調節機構を備えた装身具。
【請求項３】
請求項１に記載の装身具において、この装身具は指輪であることを特徴とするリング径調節機構を備えた装身具。
【請求項４】
請求項１に記載の装身具において、前記第１の台座と第２の台座に取り付けられるチューブ状のゴムは２つ以上並べて取り付けられていることを特徴とするリング径調節機構を備えた装身具。
【請求項５】
請求項１に記載の装身具において、前記第１の台座と第２の台座には、前記チューブ状のゴムの両端の穴が取り付けられる棒状の突起を有することを特徴とするリング径調節機構を備えた装身具。
【請求項６】
請求項１に記載の装身具において、前記ベルトは紐状ネックレスであることを特徴とする長さ調節機構を備えた装身具。
【考案の詳細な説明】
【技術分野】
【０００１】
本考案は装身具、より具体的にはリング径を調節可能な指輪等の装身具に関する。
【背景技術】
【０００２】
例えば指輪は、これを装着使用する個々人の指の太さに合わせたリング径の大きさになっている。このため、個々人の指の太さに対応するようリング径の大きさが異なるものを予め取り揃えておき、これと弱冠サイズの異なる場合には指輪自体の内径を強制的に狭窄したり、拡開したりして使用者の指の太さに合うように調節していた。
【０００３】
ところで、一般に指輪は第２関節とその付け根の部分の間に装着することが多い。したがって、径の大きい第２間接に合わせてリング径のサイズがきめられて装着されることになる。このため、第２間接が太い程、必然的に装着時には緩んだ状態になり、使用感を損ねる原因になっていた。
【０００４】
そこで、装着される指の太さに合わせてリング径の大きさを簡単に調節できる指輪が製造・販売されるようになった。図６および図７はこの種の指輪の分解斜視図および断面図である。図６において、宝石取付台１０は上面に宝石１２が取り付けられ、下面には第１の台座４０が固着されている宝飾性を備えた取付台である。
【０００５】
第１の台座４０の上端には板状のシリコンゴム５０aが接着剤等で固着されている。また、第２の台座６０の底面には、シリコンゴム５０aと同形状のシリコンゴム５０bが同様に接着剤等で固着されている。ベルト３０は、図７の断面図に示すように、端部が内外で重ねられ、その下側に位置している一端が第２の台座６０にかしめ加工により固着されるとともに、その上側に位置する部分がシリコンゴム５０aと５０b間に狭持されることで指輪のリングとなるベルトである。
【０００６】
リング径を調節する場合、ベルト３０の端部３０aを矢印Ａ方向に引っ張ることで径が狭くなり、反対に矢印Ｂ方向に引っ張ることで径が広くなる。ベルト３０はシリコンゴム５０aと５０bにより緩まないよう狭持されているので、このような径の調節時以外では径の大きさが容易に変わることはない。
【考案の開示】
【考案が解決しようとする課題】
【０００７】
しかしながら、図６および図７に示した従来技術では、径の大きさを調節する度にシリコンゴム５０に直接力が加わり、これを繰り返して行っていると台座からシリコンゴム５０が剥がれて使用不能になってしまうという問題があった。
本考案はこのようなシリコンゴムが剥がれるという従来技術の課題を解決し、繰り返し径の大きさを調節してもシリコンゴムが剥がれて使用不能となることが無い、リング径調節機構を備えた装身具を提供することを目的とする。
【課題を解決するための手段】
【０００８】
本考案の装身具は、宝飾品が取り付けられる宝石取付台に固着されている第１の台座と、端部が内外で重ねられてほぼ巻回状に丸められてリング形状になっている帯状の幅のベルトと、前記帯状の幅のベルトを挟んだ状態でこのリング径を調節可能に前記第１の台座に取り付けられる第２の台座とを有し、前記第１の台座と第２の台座には前記帯状の幅のベルトと当接するチューブ状のゴムが取り付けられ、前記ベルトのリング径を調節したときにこのチューブ状のゴムが回転することを特徴とするリング径調節機構を備えたことを特徴とする。
【０００９】
本考案の装身具は、請求項１に記載のチューブ状のゴムにおいて、このゴムはシリコンゴムであることを特徴とするリング径調節機構を備えたものであることが好ましい。また、請求項１に記載の装身具において、この装身具は指輪であることを特徴とするリング径調節機構を備えたことが好ましい。
【００１０】
さらに、本考案の装身具は、請求項１に記載の装身具において、前記第１の台座と第２の台座に取り付けられるチューブ状のゴムは２つ以上並べて取り付けられていることを特徴とするリング径調節機構を備えたものであることが好ましい。請求項１に記載の装身具において、前記第１の台座と第２の台座には、前記チューブ状のゴムの両端の穴が取り付けられる棒状の突起を有することを特徴とするリング径調節機構を備えたものであることが好ましい。
【００１１】
くわえて、本考案の装身具は、請求項１に記載の装身具において、前記ベルトは紐状ネックレスであることを特徴とするリング径調節機構を備えた装身具。
【考案の効果】
【００１２】
本考案によるリング径調節機構を備えた装身具によれば、ベルトのリング径を調節した際にチューブ状のゴムが回転するため、ベルトを圧接しているチューブ状のゴムに無理な力が加わることが無い。したがって、従来技術のようにリング径を調節する度にベルトを圧接している板状のシリコンゴムに無理な力が加わって剥がれてしまうという問題を回避できる。
【考案を実施するための最良の形態】
【００１３】
次に添付図面を参照して本考案によるリング径調節機構を備えた装身具の実施の形態を詳細に説明する。
【００１４】
図１は本考案によるリング径調節機構を備えた装身具を指輪に適用したときの斜視図である。指輪１はリング径を調節可能な指輪であり、金、銀、プラチナ、真鍮またはステンレス等の材質で形成された花弁形状の宝石取付台１０の上面に、ダイヤモンドやルビー等の天然石や合成キュービックジルコニアジルコニア等の人工石である宝石１２が固着されている。
【００１５】
宝石取付台１０はまた、その下面に第１の台座１４が固着されている。この第１の台座１４の内部では、ベルト３０の端部が内外で重ねられ巻回状に丸められることで指に装着するリング形状なっている。なお、ベルト３０の材質も宝石取付台１０と同様に、金、銀、プラチナ、真鍮またはステンレス等の材質で形成されている。
【００１６】
図２は指輪１の分解斜視図を示したものである。第１の台座１４は、側面１４a,１４bが上端および下端が平らな六角形状であり、正面から見ると下側が開口した逆略凹形になっている。第２の台座２０は第１の台座１４に嵌め込まれて固着される台座であり、側面２０a,２０bが側面１４a,１４bの下半分と同じ形状になるように下端が狭い台形状になっている。第一の台座１４および第２の台座２０も宝石取付台１０と同様に、金、銀、プラチナ、真鍮またはステンレス等の材質で形成されている。
【００１７】
第１の台座１４の内部上面にはチューブ状のシリコンゴム１８a,１８bが取り付けられ、また第２の台座２０の内部下面にはチューブ状のシリコンゴム１８c,１８dが取り付けられる。図３は、チューブ状のシリコンゴム１８a,１８bを取り付けた第１の台座１４を下から見たときと、チューブ状のシリコンゴム１８c,１８dを取り付けた第２の台座２０を上から見たときの内部構造を示したものである。
【００１８】
図３に示すように、第１の台座１４の側面１４aと側面１４bの内側には、円柱状の突起１６aと１６bが対向するよう、また１６cと１６dが対向するよう、それぞれ４つの突起１６が配設されている。同様に、第２の台座２０の側面２０aと側面２０bの内側には、円柱状の突起２２aと２２bが対向するよう、また２２cと２２dが対向するよう、それぞれ４つの突起２２が配設されている。
【００１９】
チューブ状のシリコンゴム１８aは、突起１６aと１６bに回動自在に取り付けられる。同様に、チューブ状のシリコンゴム１８bは突起１６cと１６dに、チューブ状のシリコンゴム１８cは突起２２aと２２bに、チューブ状のシリコンゴム１８dは突起２２cと２２dにそれぞれ取り付けられる。
【００２０】
図４は指輪１の断面を示した断面図である。同図に示すようにベルト３０は、並設されたチューブ状のシリコンゴム１８a,１８bと、並設されたチューブ状のシリコンゴム１８c,１８dの間に、端部が内外で重ねられてほぼ巻回状に丸められる。具体的には、その下側に位置している一端が第２の台座２０にかしめ加工により固着されるとともに、その上側に位置する部分がシリコンゴム１８a,１８bとシリコンゴム１８c,１８d間に狭持されることで指輪のリングとなるベルトである。ベルト３０は、通常の使用においてリングの径が拡がることがないようにこれらシリコンゴム１８により圧接されている。
【００２１】
例えば、ベルト３０のリング径を狭くする場合、図４に示すように、この端部３０aをつまんで矢印Ａ方向に引っ張る。ベルト３０の上面はチューブ状のシリコンゴム１８a,１８bに下面はシリコンゴム１８c,１８dに接触しているため、これを矢印Ａ方向に引っ張るとシリコンゴム１８a,１８bが反時計方向に、シリコンゴム１８c,１８dが時計方向に回転するのでこれらシリコンゴム１８に無理な力が加わることが無い。
【００２２】
同様に、ベルト３０のリング径を拡げる場合でも、例えばベルト３０の左側上部３０bを矢印Ｂ方向に引っ張れば、チューブ状のシリコンゴム１８a,１８bが時計方向に、シリコンゴム１８c,１８dが反時計方向に回転してベルト３０が動くのでこれらシリコンゴム１８に無理な力が加わることはない。
【００２３】
図５は本考案によるリング径調節機構を備えた装身具をネックレスに適用したときの斜視図である。図５（Ａ）は正面から、また図５（Ｂ）は背面からみたときの斜視図である。
【００２４】
ネックレス７０は、宝石取付台７２に宝石７４を取り付け、この取付台７２の背面にはネックレス用チェーンを挿通するための挿通部７３a,７３bが設けられている。取付台７２の背面にはまた、ベルト７８が取り付けられる台座７６が固着されている。
【００２５】
台座７６は、図２〜図４に示した第１の台座１４と第２の台座２０と同様の内部構造になっており、１組２個づつ並設された２組のチューブ状のシリコンゴムにベルト７８が圧接された状態で介挿されている。ベルト７８は、図４に示すベルト３０と同様に端部が内外で重ねられて巻回状に丸められ、その長さが自由に変えられるようになっている。このように、図５に示したネックレスではベルト７８の長さを変えることでネックレスの外観を変化させることを可能にしている。
【００２６】
以上、詳細に本考案の実施の形態を説明したが、本考案はこれら実施の形態に限定されるものではない。具体的には、本実施の形態ではチューブ状のシリコンゴムを４つ用いたが、例えば３個並列に並べた６つでも良く、とくにその個数を限定するものではない。また、本実施の形態では、突起１６または２２に取り付けられるチューブの材質をシリコンゴムとしたが、特にシリコンゴムに限定されるものではなく、同様の機能性を備えたものであれば、天然ゴム、合成ゴムまたはフッ素樹脂等で形成されたものであってもよい。
【００２７】
くわえて、本実施の形態では指輪またはネックレスの装身具の適用例を示したが、図８に示すような、本考案をベルト３０が紐状ネックレス９２である装身具９０にも適用可能である。この場合には、紐状ネックレス９２を長さ調整具９４に挿入し、適当な長さに調節し、首周りにかけることができる。
【図面の簡単な説明】
【００２８】
【図１】本考案によるリング径調節機構を備えた装身具を指輪に適用したときの実施の形態を示す斜視図である。
【図２】図１に示した実施の形態である指輪の部分分解斜視図である。
【図３】図１に示した指輪における第１の台座と第２の台座の内部構造を示した構造図である。
【図４】図１に示した指輪の断面図である。
【図５】本考案によるリング径調節機構を備えた装身具をネックレスに適用したときの実施の形態を示す正面斜視図（Ａ）と背面斜視図（Ｂ）である。
【図６】従来技術におけるリング径調節機構を備えた指輪の部分分解斜視図である。
【図７】図６に示した従来技術の指輪の断面図である。
【図８】本考案によるリング径調節機能を備えた装身具を紐状ネックレスの長さ調整具に適用したときの実施の形態を示す正面図（Ａ）と側面断面図（Ｂ）である。
【符号の説明】
【００２９】
１    指輪
１０、７２  宝石取付台
１２、７４  宝石
１４  第１の台座
１６a〜１６d, ２２a〜２２d  突起
１８a〜１８d  チューブ状のシリコンゴム
２０  第２の台座
３０、７８  ベルト
７０  ネックレス
８０  ネックレス用チェーン
９０  装身具
９２  紐状ネックレス
９４  長さ調整具
【図１】
0003111946.tif 000003
【図２】
0003111946.tif 000004
【図３】
0003111946.tif 000005
【図４】
0003111946.tif 000006
【図５】
0003111946.tif 000007
【図６】
0003111946.tif 000008
【図７】
0003111946.tif 000009
【図８】
0003111946.tif 000010